(57)【要約】【課題】  カラーフィルタ基板のみを変更することによって高精細液晶表示装置と低精細液晶表示装置との両方を実現する。【解決手段】  本発明に係る表示パネル１００は、相互に並行に延びるように配設された複数のソース信号線１０５と、複数のソース信号線１０５の延びる方向に配設され、各々複数のソース信号線１０５のそれぞれに接続された副画素電極によって構成された複数の表示電極ユニットＹと、複数のソース信号線１０５の延びる方向に角度をなして相互に並行に延びるように配設され、各々複数の表示電極ユニットＹのいずれか接続された複数のゲート信号線１０２と、表示電極ユニットＹを構成する複数の副画素電極に同一の信号を供給するように複数のソース信号線１０５を結線する結線モードと、表示電極ユニットＹを構成する複数の副画素電極に異なる信号を供給するように複数のソース信号線１０５の信号を電気的に独立させる独立モードと、を選択する選択回路と、を備えている。【選択図】図１
2006058594.tif 000002
【特許請求の範囲】
【請求項１】
相互に並行に延びるように配設された複数の第１信号線と、
上記複数の第１信号線の延びる方向に配設され、各々該複数の第１信号線のそれぞれに接続された副画素電極によって構成された複数の表示電極ユニットと、
上記複数の第１信号線の延びる方向に角度をなして相互に並行に延びるように配設され、各々上記複数の表示電極ユニットのいずれか接続された複数の第２信号線と、
を有する表示パネルに用いる選択回路であって、
上記表示電極ユニットを構成する複数の副画素電極に同一の信号を供給するように上記複数の第１信号線を結線する結線モードと、上記表示電極ユニットを構成する複数の副画素電極に異なる信号を供給するように該複数の第１信号線の信号を電気的に独立させる独立モードと、を選択する選択回路。
【請求項２】
相互に並行に延びるように配設された複数の第１信号線と、
上記複数の第１信号線の延びる方向に配設され、各々該複数の第１信号線のそれぞれに接続された副画素電極によって構成された複数の表示電極ユニットと、
上記複数の第１信号線の延びる方向に角度をなして相互に並行に延びるように配設され、各々上記複数の表示電極ユニットのいずれか接続された複数の第２信号線と、
上記表示電極ユニットを構成する複数の副画素電極に同一の信号を供給するように上記複数の第１信号線を結線する結線モードと、上記表示電極ユニットを構成する複数の副画素電極に異なる信号を供給するように該複数の第１信号線の信号を電気的に独立させる独立モードと、を選択する選択回路と、
を備えた表示パネル。
【請求項３】
請求項２に記載された表示パネルにおいて、
上記複数の第１信号線のそれぞれは、上記副画素電極にソース信号を入力し、
上記複数の第２信号線のそれぞれは、上記副画素電極にゲート信号を入力する表示パネル。
【請求項４】
請求項２に記載された表示パネルにおいて、
上記複数の第１信号線のそれぞれは、上記副画素電極にゲート信号を入力し、
上記複数の第２信号線のそれぞれは、上記副画素電極にソース信号を入力する表示パネル。
【請求項５】
請求項２に記載された表示パネルにおいて、
上記選択回路は、スイッチング素子によってモード選択するように構成されている表示パネル。
【請求項６】
請求項２に記載された表示パネルにおいて、
上記選択回路と上記複数の信号線とが同一基板上に形成されている表示パネル。
【請求項７】
請求項２に記載された表示パネルを有し、
上記選択回路が、上記独立モードを選択している表示装置。
【請求項８】
請求項２に記載された表示パネルを有し、
上記選択回路が、上記結線モードを選択している表示装置。
【請求項９】
請求項７乃至８に記載された表示装置であって、
その表示形式が液晶表示形式である表示装置。
【発明の詳細な説明】
【技術分野】
【０００１】
本発明は、選択回路及びそれを用いた表示パネル、及び表示装置に関するものである。
【背景技術】
【０００２】
従来、高い解像度を有する高精細液晶表示装置と、低い解像度を有する低精細液晶表示装置とは、表示サイズが同じで、解像度のみが異なる場合であっても、それぞれ異なる専用設計のＴＦＴ基板を用いて生産されていた。また、カラーフィルタ基板や駆動回路についても、高精細液晶表示装置と低精細液晶表示装置とのそれぞれについて、使用するＴＦＴ基板に合わせた専用設計のものを準備する必要があった。従って、高精細液晶表示装置と低精細液晶表示装置との双方を製造する場合、高精細用及び低精細用のそれぞれについてＴＦＴ基板、駆動回路、及びカラーフィルタ基板等を設計する必要があり、製品の開発及び製造に非常に長い納期を要するという問題があった。また、高精細用および低精細用のそれぞれに使用するＴＦＴ基板、駆動回路、カラーフィルタ等の部材の在庫を保持する必要がり、在庫がかさむという問題もあった。
【０００３】
このような問題に鑑み、例えば特許文献１には、カラーフィルタ基板及び駆動回路のみを交換することによって共通のＴＦＴ基板を用いて高精細液晶表示装置と低精細液晶表示装置とを製造する技術が開示されている。
【０００４】
この技術は、高精細液晶表示装置と低精細液晶表示装置とで、共通設計のＴＦＴ基板と、ＴＦＴ基板の上に設けられた第１電極と、第１電極の上に設けられた液晶層と、液晶層の上に設けられた第２電極と、を使用する。高精細用液晶表示装置を製造する際には、これらの部材に、１画素が１絵素を構成するようにＲＧＢ配列されたカラーフィルタ基板と、１画素を１絵素として駆動する駆動回路と、を組み合わせる。一方、低精細用液晶表示装置を製造する際には、これらの部材に、複数画素で１絵素を構成するようにＲＧＢ配列されたカラーフィルタ基板と、複数画素を１絵素として駆動する駆動回路と、を組み合わせる。このように１絵素を構成する副画素数を変更することにより、共通設計のＴＦＴ基板を用いて単位面積あたりの絵素数が異なる高精細液晶表示装置と低精細液晶表示装置とを製造せしめる技術である。
【０００５】
このような特許文献１に記載された技術によれば、高精細液晶表示装置と低精細液晶表示装置との双方に共通設計のＴＦＴ基板を用いることができ、高精細液晶表示装置と低精細液晶表示装置との製造を、後半工程の変更のみで行うことが可能となり、短納期が可能となり、部材の共通化が計れるため、生産効率が上がるということが記載されている。
【特許文献１】特開２００１−２７２６８９号公報
【発明の開示】
【発明が解決しようとする課題】
【０００６】
このように特許文献１に記載された技術では、高精細液晶表示装置と低精細液晶表示装置とで、共通設計のＴＦＴ基板を使用することができる。しかしながら、高精細液晶表示装置と低精細液晶表示装置とのそれぞれについて専用設計の駆動回路を設計、準備する必要がある。従って、短納期化、生産効率の向上、在庫の低減が十分に図れないという問題がある。
【０００７】
本発明は、係る点に鑑みてなされたものであり、その目的とするところは、カラーフィルタ基板のみを変更することのみによって高精細液晶表示装置と低精細液晶表示装置との両方を実現することができる表示パネルを提供することにある。
【課題を解決するための手段】
【０００８】
本発明に係る選択回路は、相互に並行に延びるように配設された複数の第１信号線と、
上記複数の第１信号線の延びる方向に配設され、各々該複数の第１信号線のそれぞれに接続された副画素電極によって構成された複数の表示電極ユニットと、
上記複数の第１信号線の延びる方向に角度をなして相互に並行に延びるように配設され、各々上記複数の表示電極ユニットのいずれか接続された複数の第２信号線と、
を有する表示パネルに用いるものである。
【０００９】
そして、上記表示電極ユニットを構成する複数の副画素電極に同一の信号を供給するように上記複数の第１信号線を結線する結線モードと、上記表示電極ユニットを構成する複数の副画素電極に異なる信号を供給するように該複数の第１信号線の信号を電気的に独立させる独立モードと、を選択するものである。
【００１０】
本発明に係る表示パネルは、相互に並行に延びるように配設された複数の第１信号線と、
上記複数の第１信号線の延びる方向に配設され、各々該複数の第１信号線のそれぞれに接続された副画素電極によって構成された複数の表示電極ユニットと、
上記複数の第１信号線の延びる方向に角度をなして相互に並行に延びるように配設され、各々上記複数の表示電極ユニットのいずれか接続された複数の第２信号線と、
上記表示電極ユニットを構成する複数の副画素電極に同一の信号を供給するように上記複数の第１信号線を結線する結線モードと、上記表示電極ユニットを構成する複数の副画素電極に異なる信号を供給するように該複数の第１信号線の信号を電気的に独立させる独立モードと、を選択する選択回路と、
を備えたものである。
【００１１】
本発明に係る表示パネルは、表示電極ユニットを構成する複数の副画素電極に同一の信号を供給するように複数の第１信号線を結線する結線モードと、表示電極ユニットを構成する複数の副画素電極に異なる信号を供給するように複数の第１信号線の信号を電気的に独立させる独立モードと、を選択する選択回路を有する。この選択回路が結線モードを選択した場合は、表示電極ユニットを構成する複数の副画素電極が一絵素を構成する。一方、選択回路が独立モードを選択した場合は、表示電極ユニットを構成する複数の副画素電極のそれぞれが一絵素を構成する。すなわち、選択回路によって、表示する絵素の大きさを選択変更することができる。従って、本発明に係る表示パネルを用いることにより、ＴＦＴ基板と駆動回路との双方を共通設計とし、カラーフィルタ基板のみを変更することにより高精細液晶表示装置と低精細液晶表示装置との双方を実現することができる。従って、高精細液晶表示装置と低精細液晶表示装置との双方について専用設計のＴＦＴ基板や駆動回路等を設計、在庫する必要がない。その結果、本発明に係る表示パネルによれば、液晶表示装置の生産効率の向上、短納期化、在庫削減を実現することができる。
【００１２】
また、本発明に係る表示パネルは、上記複数の第１信号線のそれぞれは、上記副画素電極にソース信号を入力し、
上記複数の第２信号線のそれぞれは、上記副画素電極にゲート信号を入力するものであっても構わない。
【００１３】
また、本発明に係る表示パネルは、上記複数の第１信号線のそれぞれは、上記副画素電極にゲート信号を入力し、
上記複数の第２信号線のそれぞれは、上記副画素電極にソース信号を入力するものであっても構わない。
【００１４】
また、本発明に係る表示パネルは、上記選択回路は、スイッチング素子によってモード選択するように構成されているものであっても構わない。
【００１５】
また、本発明に係る表示パネルは、上記選択回路と上記複数の信号線とが同一基板上に形成されているものであっても構わない。
【００１６】
本発明に係る表示装置は、相互に並行に延びるように配設された複数の第１信号線と、
上記複数の第１信号線の延びる方向に配設され、各々該複数の第１信号線のそれぞれに接続された副画素電極によって構成された複数の表示電極ユニットと、
上記複数の第１信号線の延びる方向に角度をなして相互に並行に延びるように配設され、各々上記複数の表示電極ユニットのいずれか接続された複数の第２信号線と、
上記表示電極ユニットを構成する複数の副画素電極に同一の信号を供給するように上記複数の第１信号線を結線する結線モードと、上記表示電極ユニットを構成する複数の副画素電極に異なる信号を供給するように該複数の第１信号線の信号を電気的に独立させる独立モードと、を選択する選択回路と、
を備えた表示パネルを有し、
上記選択回路が、上記独立モードを選択している高精細な表示が可能なものである。
【００１７】
また、本発明に係る表示装置は、相互に並行に延びるように配設された複数の第１信号線と、
上記複数の第１信号線の延びる方向に配設され、各々該複数の第１信号線のそれぞれに接続された副画素電極によって構成された複数の表示電極ユニットと、
上記複数の第１信号線の延びる方向に角度をなして相互に並行に延びるように配設され、各々上記複数の表示電極ユニットのいずれか接続された複数の第２信号線と、
上記表示電極ユニットを構成する複数の副画素電極に同一の信号を供給するように上記複数の第１信号線を結線する結線モードと、上記表示電極ユニットを構成する複数の副画素電極に異なる信号を供給するように該複数の第１信号線の信号を電気的に独立させる独立モードと、を選択する選択回路と、
を備えた表示パネルを有し、
上記選択回路が、上記結線モードを選択している低精細な表示が可能なものである。
【００１８】
また、本発明に係る表示装置は、その表示形式が液晶表示形式であっても構わない。
【発明の効果】
【００１９】
以上説明したように、本発明の表示パネルによれば、結線モードと独立モードとを選択する選択回路を有するので、ＴＦＴ基板と駆動回路とを共通設計とする高精細液晶表示装置と低精細液晶表示装置とを実現することができる。
【発明を実施するための最良の形態】
【００２０】
以下、本発明の実施形態を図面に基づいて詳細に説明する。
【００２１】
（実施形態１）図１は、実施形態１に係る液晶表示装置１の全体構造を示すブロック図である。
【００２２】
また、図２は、図１中ＩＩ−ＩＩで示す部分の概略断面図である。
【００２３】
この液晶表示装置１は、表示画像に応じた信号を出力するコントローラ４００と、そのコントローラ４００に接続されたソース駆動回路２００と、ゲート駆動回路３００と、ソース駆動回路２００とゲート駆動回路３００とに接続された液晶表示パネル１００と、液晶表示パネル１００とソース駆動回路２００とを接続するソース入力線１０８（ソース入力線１０８ａ、１０８ｂ、１０８ｃ、１０８ｄ、・・・・）と、を有する。
【００２４】
そして、この液晶表示パネル１００は、素子基板１０１上に形成されたソース入力線１０８を入力としソース信号線１０５を出力とする選択回路５００と、副画素Ｘがマトリクス状に配列された表示領域１００ａと、を備えている。
【００２５】
液晶表示パネル１００の表示領域１００ａは、図２に示すように、第１偏光板１９０と、第１偏光板１９０の上を覆うように設けられたＴＦＴ基板１１０と、ＴＦＴ基板１１０の上に、副画素Ｘのそれぞれについて設けられた下部電極１２０と、下部電極１２０の上に設けられた液晶層１４０と、液晶層１４０を狭持するように設けられた第１配向膜１３０と、第２配向膜１５０と、第２配向膜１５０の上を覆うように設けられた上部共通電極１６０と、上部共通電極１６０の上を覆うように設けられたカラーフィルタ基板１７０と、カラーフィルタ基板１７０の上を覆うように設けられた第２偏光板１８０とを有する。
【００２６】
そして、ＴＦＴ基板１１０は、素子基板１０１と、ゲート駆動回路３００から相互に並行に伸びるように設けられた複数のゲート信号線１０２と、ゲート信号線１０２の上を覆うように設けられたゲート絶縁膜１０３と、ゲート絶縁膜１０３の上に設けられた島状半導体１０４と、ゲート信号線１０２の延びる方向に直行する方向に相互に並行に延びるように設けられた複数のソース信号線１０５（ソース信号線１０５ａ、１０５ｂ、１０５ｃ、１０５ｄ、１０５ｅ、１０５ｆ、・・・・）と、島状半導体１０４に接続されたドレイン電極１０９と、ＴＦＴ基板１１０を平坦化する平坦化膜１０６と、を備えている。尚、ＴＦＴ１０７と下部電極１２０とは、平坦化膜１０６に形成されたスルーホールを介して接続されている。
【００２７】
また、液晶層１４０には、液晶層１４０のセルギャップを均一にするためのスペーサ１４１が配置されている。
【００２８】
この液晶表示装置１では、副画素Ｘのそれぞれに設けられた一組のＴＦＴ１０７と下部電極１２０とが副画素電極を構成しており、また、隣接する２個の副画素Ｘに設けられた副画素電極が表示電極ユニットＹを形成している。
【００２９】
図３は、ソース駆動回路２００から延びるソース入力線１０８とソース信号線１０５とのを接続する選択回路５００の一部分を示す回路図である。
【００３０】
この選択回路５００は、ＴＦＴ５０１及び５０２と、トランジスタ５１６〜５２３と、からなり、ソース入力線１０８を入力とし、ソース信号線１０５を出力とするものである。尚、図３には、図１に示したソース入力線１０８のうち、最も左に位置する３本（１０８ａ〜ｃ）のみ、図１に示したソース信号線１０５のうち、最も左に位置する６本（１０５ａ〜１０５ｆ）のみを示している。ここで、ソース入力線１０８ａ、１０８ｂ、及び１０８ｃは、それぞれ表示色がＲ、Ｇ、及びＢである信号を入力するものである。
【００３１】
この選択回路５００は、ＴＦＴ５０１及び５０２のオン／オフを切り替えることにより、ソース入力線１０８とソース信号線１０５との接続モードを選択する機能を有するものである。
【００３２】
図４は、選択回路５００が、独立モードを選択した場合を説明する回路図である。
【００３３】
また、図５は、選択回路５００が、結線モードを選択した場合を説明する回路図である。
【００３４】
また、図６は、選択回路５００が独立モードを選択した場合の絵素及び画素構成を説明する平面図である。
【００３５】
また、図７は、選択回路５００が結線モードを選択した場合の絵素及び画素構成を説明する平面図である。
【００３６】
図４に示すように、選択回路５００が独立モードを選択した場合、ＴＦＴ５０１はオフに、ＴＦＴ５０２はオンに設定される。従って、トランジスタ５１７、５１８、５２０、及び５２３は電流を流さず、トランジスタ５１６，５１９、５２１、及び５２２のみが電流を流す。そのため、ソース入力線１０８ａは、ソース信号線１０５ａ及び１０５ｄに接続される。また、ソース入力線１０８ｂは、ソース信号線１０５ｂ及び１０５ｅに接続される。そして、ソース入力線１０８ｃは、ソース信号線１０５ｃ及び１０５ｆに接続される。
【００３７】
よって、選択回路５００が独立モードを選択した場合、表示電極ユニットＹを構成する２個の副画素電極のそれぞれにソース信号を入力するソース信号線１０５は、相互に異なるソース信号を供給するソース入力線１０８に接続される。
【００３８】
このように、選択回路５００が独立モードを選択する場合、例えば、図６中点線で示した表示電極ユニットＹを構成する２つの副画素電極には、それぞれ表示色がＲのソース信号と、表示色がＧのソース信号と、が入力される。従って、図６に示すように、選択回路５００が独立モードを選択した場合は、副画素Ｘのそれぞれが絵素Ｚを構成し、隣接する３個の副画素Ｘにより画素Ｐが構成される。
【００３９】
一方、図５に示すように、選択回路５００が結線モードを選択した場合、ＴＦＴ５０１はオンに、ＴＦＴ５０２はオフに設定される。従って、トランジスタ５１７、５１８、５２０、及び５２３のみが電流を流し、トランジスタ５１６，５１９、５２１、及び５２２は電流を流さない。そのため、ソース入力線１０８ａは、ソース信号線１０５ａ及び１０５ｂに接続される。また、ソース入力線１０８ｂは、ソース信号線１０５ｃ及び１０５ｄに接続される。そして、ソース入力線１０８ｃは、ソース信号線１０５ｅ及び１０５ｆに接続される。
【００４０】
よって、選択回路５００が結線モードを選択した場合、表示電極ユニットＹを構成する２個の副画素電極のそれぞれにソース信号を入力するソース信号線１０５は、同じソース信号を供給するソース入力線１０８に接続される。
【００４１】
このように、選択回路５００が結線モードを選択する場合、例えば、図７中点線で示した表示電極ユニットＹを構成する２つの副画素電極には、双方とも表示色がＲのソース信号が入力される。従って、図７に示すように、選択回路５００が結線モードを選択した場合は、隣接する２個の副画素Ｘが絵素Ｚを構成し、隣接する６個の副画素Ｘにより画素Ｐが構成される。
【００４２】
このように、液晶表示パネル１００は、選択回路５００により独立モードを選択することにより、隣接する３個の副画素Ｘにより画素Ｐを構成することができ、一方、選択回路により結線モードを選択することにより、隣接する６個の副画素Ｘにより画素Ｐを構成することができる。すなわち、この液晶表示装置１は、副画素Ｘのそれぞれが絵素Ｚを構成するように設計されたカラーフィルタ基板１７０を用い、選択回路５００を独立モードとすることにより高精細液晶表示装置として用いることができる。一方、隣接する２個の副画素が絵素Ｚを構成するように設計されたカラーフィルタ基板１７０を用い、選択回路５００を結線モードとすることにより低精細液晶表示装置として用いることができる。
【００４３】
その結果、選択回路５００を備えた液晶表示パネル１００を有する液晶表示装置１では、カラーフィルタ基板１７０のみを変更することにより、ＴＦＴ基板１１０と、駆動回路（選択回路５００等）を共通として高精細液晶表示装置と低精細液晶表示装置との双方を実現することができる。
【００４４】
従って、液晶表示パネル１００を用いることにより、高精細液晶表示装置と低精細液晶表示装置との双方を製造する場合においても、高精細液晶表示装置用の専用設計のＴＦＴ基板及び駆動回路、低精細液晶表示装置用の専用設計のＴＦＴ基板及び駆動回路を別個設計する必要はなく、また、在庫する必要もない。よって、この液晶表示パネル１００を用いることによって、低精細液晶表示装置用と高精細液晶表示装置用との双方の生産効率の向上、短納期化、在庫削減を実現することができる。
【００４５】
尚、液晶表示装置１では、駆動回路５００は、ソース信号線１０５等が形成されている素子基板１０１に形成されているものであるが、何らこの構成に限定されるものではない。すなわち、駆動回路５００を素子基板１０１の外側に形成してももちろん構わない。
【００４６】
また、液晶表示装置１では、ソース駆動回路２００とソース信号線１０５との間に選択回路５００が設けられているが、本発明は何らこの構成に限定されない。例えば、ゲート駆動回路３００とゲート信号線１０２との間に選択回路５００を配設しても構わない。
【００４７】
また、液晶表示装置１では、選択回路５００は、ＴＦＴをスイッチング素子として構成したが、何らこれに限定されるものではない。すなわち、スイッチング素子をＭＩＭ（Ｍｅｔａｌ  Ｉｎ  Ｍｅｔａｌ  ｌｉｑｕｉｄ  ｃｒｙｓｔａｌ）等の二端子素子により構成しても構わず、また、スイッチング素子を用いずに構成するものであっても勿論構わない。
【００４８】
また、本実施形態では、アクティブマトリクス方式の液晶表示装置１を例として説明したが、本発明は何らこれに限定されるものではなく、パッシブマトリクス方式の液晶表示装置であっても構わない。
【００４９】
また、本実施形態では、本発明に係る表示装置の例として、液晶表示装置１を例に挙げて説明したが、本発明に係る表示装置は、表示形式が液晶表示形式であるものに限定されるものではなく、例えば、有機エレクトロルミネッセンス表示形式、無機エレクトロルミネッセンス表示形式、プラズマ表示形式、フィールドエミッション表示形式、ＬＥＤ表示形式等であっても勿論構わない。
【００５０】
（実施形態２）図８は、実施形態２に係る液晶表示装置１’のブロック図である。
【００５１】
図９は、ソース側選択回路５００ｓ’の回路図である。
【００５２】
図１０は、ゲート側選択回路５００ｇ’の回路図である。
【００５３】
図１１は、ゲート側選択回路５００ｇ’が独立モードを選択した場合を説明する回路図である。
【００５４】
図１２は、ゲート側選択回路５００ｇ’が結線モードを選択した場合を説明する回路図である。
【００５５】
図１３は、選択回路５００ｓ’及び５００ｇ’が独立モードを選択した場合の絵素及び画素構成を説明する平面図である。
【００５６】
また、図１４は、選択回路５００ｓ’及び５００ｇ’が結線モードを選択した場合の絵素及び画素構成を説明する平面図である。
【００５７】
この液晶表示装置１’は、表示画像に応じた信号を出力するコントローラ４００’と、そのコントローラ４００’からの信号を入力とするソース駆動回路２００’と、ゲート駆動回路３００’と、ソース駆動回路２００’とゲート駆動回路３００’とに接続された液晶表示パネル１００’と、液晶表示パネル１００’とソース駆動回路２００’とを接続するソース入力線１０８’（ソース入力線１０８ａ’、１０８ｂ’、１０８ｃ’、１０８ｄ’、・・・・）と、液晶表示パネル１００’とゲート駆動回路３００’とを接続するゲート入力線１０９’（ゲート入力線１０９ａ’、１０９ｂ’、１０９ｃ’、１０９ｄ’、・・・・）と、を有する。
【００５８】
そして、この液晶表示パネル１００’は、素子基板１０１’上に形成され、ソース入力線１０８’から信号の入力を受けソース信号線１０５’に信号を出力するソース側選択回路５００ｓ’と、ゲート入力線１０９’から信号の入力を受けゲート信号線１０２’に信号を出力するゲート側選択回路５００ｇ’と、副画素Ｘがマトリクス状に配列された表示領域１００ａ’と、を備えている。
【００５９】
表示領域１００ａ’には相互に並行に延びる複数のソース信号線１０５’と、その複数のソース信号線１０５’の延びる方向に垂直な方向に相互に並行に延びる複数のゲート信号線１０２’とが形成されている。複数のソース信号線１０５’と複数のゲート信号線１０２’との交差点近傍のそれぞれには複数のソース信号線１０５’のいずれかと複数のゲート信号線１０２’のいずれかとに接続されたＴＦＴ１０７’が配設されている。そして、そのＴＦＴ１０７’は、下部電極１２０’（図示せず）に接続されている。
【００６０】
そして、液晶表示装置１では、下部電極１２０’（図示せず）の上に設けられた液晶層１４０’（図示せず）と、液晶層１４０’を狭持するように設けられた第１配向膜１３０’（図示せず）と、第２配向膜１５０’（図示せず）と、第２配向膜１５０’の上を覆うように設けられた上部共通電極１６０’（図示せず）と、上部共通電極１６０’の上を覆うように設けられたカラーフィルタ基板１７０’（図示せず）と、カラーフィルタ基板１７０’の上を覆うように設けられた第２偏光板１８０’（図示せず）とを備えている。
【００６１】
すなわち、この液晶表示装置１’は、ゲート側にゲート側選択回路５００ｇ’が配設されている以外は、実施形態１に係る液晶表示装置１と同一の形態を有するものである。
【００６２】
図９に示すように、ソース側選択回路５００ｓ’は、ＴＦＴ５０１’及び５０２’と、トランジスタ５１６’〜５２３’と、からなり、ソース入力線１０８’を入力とし、ソース信号線１０５’を出力とするものである。尚、ソース入力線１０８ａ、１０８ｂ、及び１０８ｃは、それぞれ表示色がＲ、Ｇ、及びＢである信号を入力するものである。
【００６３】
このソース側選択回路５００ｓ’は、ＴＦＴ５０１’及び５０２’のオン／オフを切り替えることにより、ソース入力線１０８’とソース信号線１０５’との接続モードを選択する機能を有するものである。
【００６４】
ソース側選択回路５００ｓ’が独立モードを選択した場合、ＴＦＴ５０１’はオフに、ＴＦＴ５０２’はオンに設定される。従って、トランジスタ５１７’、５１８’、５２０’、及び５２３’は電流を流さず、トランジスタ５１６’，５１９’、５２１’、及び５２２’のみが電流を流す。そのため、ソース入力線１０８ａ’は、ソース信号線１０５ａ’及び１０５ｄ’に接続される。また、ソース入力線１０８ｂ’は、ソース信号線１０５ｂ’及び１０５ｅ’に接続される。そして、ソース入力線１０８ｃ’は、ソース信号線１０５ｃ’及び１０５ｆ’に接続される。
【００６５】
よって、ソース側選択回路５００ｓ’が独立モードを選択した場合、表示電極ユニットＹを構成する２個の副画素電極のそれぞれにソース信号を入力するソース信号線１０５’は、相互に異なるソース信号を供給するソース入力線１０８’に接続される。
【００６６】
一方、ソース側選択回路５００ｓ’が結線モードを選択した場合、ＴＦＴ５０１’はオンに、ＴＦＴ５０２’はオフに設定される。従って、トランジスタ５１７’、５１８’、５２０’、及び５２３’のみが電流を流し、トランジスタ５１６’，５１９’、５２１’、及び５２２’は電流を流さない。そのため、ソース入力線１０８ａ’は、ソース信号線１０５ａ’及び１０５ｂ’に接続される。また、ソース入力線１０８ｂ’は、ソース信号線１０５ｃ’及び１０５ｄ’に接続される。そして、ソース入力線１０８ｃ’は、ソース信号線１０５ｅ’及び１０５ｆ’に接続される。
【００６７】
よって、ソース側選択回路５００ｓ’が結線モードを選択した場合、表示電極ユニットＹを構成する２個の副画素電極のそれぞれにソース信号を入力するソース信号線１０５’は、同じソース信号を供給するソース入力線１０８’に接続される。
【００６８】
図１０に示すように、ゲート側選択回路５００ｇ’は、ＴＦＴ５３１’及び５３２’と、トランジスタ５３３’〜５３８’と、を有するものであり、ゲート入力線１０９’を入力とし、ゲート信号線１０２’を出力とするものである。尚、図１０には説明の便宜上、ゲート入力線１０９’のうち最もソース駆動回路２００’に近いゲート入力線１０９ａ’〜１０９ｆ’のみを描画している。また、ゲート信号線１０２’に関してもゲート信号線１０２ａ’〜１０２ｆ’のみを描画している。
【００６９】
このゲート側選択回路５００ｇ’は、ＴＦＴ５３１’及び５３２’のオン／オフを切り替えることにより、ゲート入力線１０９’とゲート信号線１０２’との接続モードを選択する機能を有するものである。
【００７０】
図１１に示すように、ゲート側選択回路５００ｇ’が独立モードを選択した場合、ＴＦＴ５３２’はオフに、ＴＦＴ５３１’はオンに設定される。従って、トランジスタ５３６’〜５３８’は電流を流さず、トランジスタ５３３’〜５３５’のみが電流を流す。そのため、ゲート入力線１０９ａ’は、ゲート信号線１０２ａ’に、ゲート入力線１０９ｂ’は、ゲート信号線１０２ｂ’に、ゲート入力線１０９ｃ’は、ゲート信号線１０２ｃ’に、ゲート入力線１０９ｄ’は、ゲート信号線１０２ｄ’に、ゲート入力線１０９ｅ’は、ゲート信号線１０２ｅ’に、ゲート入力線１０９ｆ’は、ゲート信号線１０２ｆ’にそれぞれ接続される。
【００７１】
よって、ゲート側選択回路５００ｇ’が独立モードを選択した場合、複数のゲート信号線１０２’のそれぞれは、相互に異なるゲート入力線１０９’に接続される。
【００７２】
一方、図１２に示すように、ゲート側選択回路５００ｇ’が結線モードを選択した場合、ＴＦＴ５３２’はオンに、ＴＦＴ５３１’はオフに設定される。トランジスタ５３６’〜５３８’のみが電流を流し、トランジスタ５３３’〜５３５’は電流を流さない。そのため、ゲート入力線１０９ａ’はゲート信号線１０２ａ’及び１０２ｂ’に、ゲート入力線１０９ｃ’はゲート信号線１０２ｃ’及び１０２ｄ’に、ゲート入力線１０９ｅ’はゲート信号線１０２ｅ’及び１０２ｆ’にそれぞれ接続される。そして、ゲート入力線１０９ｂ’、１０９ｄ’、及び１０９ｆ’は、いずれもゲート信号線１０２’に接続されない。
【００７３】
このように、液晶表示パネル１００’は、選択回路５００ｓ’及び５００ｇ’により独立モードを選択することにより、図１３に示すように、隣接する３個の副画素Ｘにより画素Ｐを構成することができ、一方、選択回路５００ｓ’及び５００ｇ’により結線モードを選択することにより、図１４に示すように隣接する１２個の副画素Ｘにより画素Ｐを構成することができる。すなわち、この液晶表示装置１’は、副画素Ｘのそれぞれが絵素Ｚを構成するように設計されたカラーフィルタ基板１７０’を用い、選択回路５００ｓ’及び５００ｇ’を独立モードとすることにより高精細液晶表示装置として用いることができる。一方、隣接する４個の副画素が絵素Ｚを構成するように設計されたカラーフィルタ基板１７０’を用い、選択回路５００ｓ’及び５００ｇ’を結線モードとすることにより低精細液晶表示装置として用いることができる。
【００７４】
また、例えばゲート側選択回路５００ｇ’により結線モードを選択し、ソース側選択回路５００ｓ’により独立モードを選択することによって、隣接する６個の副画素Ｘにより画素Ｐを構成することもできる。すなわち、この液晶表示装置１’は、隣接する２個の副画素が絵素Ｚを構成するように設計されたカラーフィルタ基板１７０’を用い、ゲート側選択回路５００ｇ’により結線モードを選択し、ソース側選択回路５００ｓ’により独立モードを選択することによって、上記の高精細液晶表示装置と低精細液晶表示装置との中間の中精細液晶表示装置として用いることができる。
【００７５】
その結果、選択回路５００ｓ’及び５００ｇ’を備えた液晶表示パネル１００’を有する液晶表示装置１’では、カラーフィルタ基板１７０’のみを変更することにより、ＴＦＴ基板１１０’と、駆動回路（選択回路５００’等）を共通として高精細液晶表示装置と、低精細液晶表示装置と、中精細液晶表示装置とを実現することができる。
【００７６】
従って、液晶表示パネル１００’を用いることにより、高精細液晶表示装置と低精細液晶表示装置と中精細液晶表示装置とを製造する場合においても、それぞれの液晶表示装置に専用のＴＦＴ基板及び駆動回路を別個設計する必要はなく、また、在庫する必要もない。よって、この液晶表示パネル１００’を用いることによって、低精細液晶表示装置用と高精細液晶表示装置用と中精細液晶表示装置との生産効率の向上、短納期化、在庫削減を実現することができる。
【００７７】
また、この液晶表示装置１’は、ゲート信号線１０２’は線順次駆動される。そのため、ゲート側選択回路５００ｇ’により結線モードを選択した低精細液晶表示装置１’は、高い生産歩留まりを有する。
【００７８】
例えば、ゲート信号線１０２ｄ’に接続された副画素Ｘのうち最もゲート駆動回路３００’側（図１４で最も右側）に設けられた表示色がＲの副画素Ｘが結線不良を起こしていた場合であっても、画素Ｐを構成する他の表示色がＲの副画素Ｘは画像を表示することができる。このように、この構成によれば一部の副画素Ｘで結線不良が発生した場合であっても、画像表示することができない絵素Ｚが発生することが効果的に抑制される。その結果、ゲート側選択回路５００ｇ’により結線モードを選択した低精細液晶表示装置１’は、高い生産歩留まりを実現することができる。
【図面の簡単な説明】
【００７９】
【図１】実施形態１に係る液晶表示装置１の全体構造を示すブロック図である。
【図２】図１中ＩＩ−ＩＩで示す部分の概略断面図である。
【図３】ソース駆動回路２００とソース信号線１０５との間に設けられた選択回路５００の一部分を示す回路図である。
【図４】選択回路５００が、独立モードを選択した場合を説明する回路図である。
【図５】選択回路５００が、結線モードを選択した場合を説明する回路図である。
【図６】選択回路５００が独立モードを選択した場合の絵素及び画素構成を説明する平面図である。
【図７】選択回路５００が結線モードを選択した場合の絵素及び画素構成を説明する平面図である。
【図８】実施形態２に係る液晶表示装置１’のブロック図である。
【図９】ソース側選択回路５００ｓ’の回路図である。
【図１０】ゲート側選択回路５００ｇ’の回路図である。
【図１１】ゲート側選択回路５００ｇ’が独立モードを選択した場合を説明する回路図である。
【図１２】ゲート側選択回路５００ｇ’が結線モードを選択した場合を説明する回路図である。
【図１３】選択回路５００ｓ’及び５００ｇ’が独立モードを選択した場合の絵素及び画素構成を説明する平面図である。
【図１４】選択回路５００ｓ’及び５００ｇ’が結線モードを選択した場合の絵素及び画素構成を説明する平面図である。
【符号の説明】
【００８０】
１、１’  液晶表示装置
１００、１００’  液晶表示パネル
１００ａ、１００ａ’  表示領域
１０１、１０１’  素子基板
１０２、１０２’  ゲート信号線
１０３  ゲート絶縁膜
１０４  島状半導体
１０５、１０５’  ソース信号線
１０６  平坦化膜
１０７、１０７’  ＴＦＴ
１０８、１０８’  ソース入力線
１０９’  ゲート入力線
１１０  ＴＦＴ基板
１２０  下部電極
１２１  スルーホール
１３０  第１配向膜
１４０  液晶層
１４１  スペーサ
１５０  第２配向膜
１６０  上部共通電極
１７０  カラーフィルタ基板
１８０  第２偏光板
１９０  第１偏光板
２００、２００’  ソース駆動回路
３００、３００’  ゲート駆動回路
４００、４００’  コントローラ
５００  選択回路
５００ｓ’  ソース側選択回路
５００ｄ’  ゲート側選択回路
５０１、５０２、５０１’、５０２’  ＴＦＴ
５０３〜５１５  ノード
５１６〜５２３、５１６’〜５２３’  トランジスタ
Ｐ  画素
Ｘ  副画素
Ｙ  表示電極ユニット
Ｚ  絵素
【図１】
2006058594.tif 000003
【図２】
2006058594.tif 000004
【図３】
2006058594.tif 000005
【図４】
2006058594.tif 000006
【図５】
2006058594.tif 000007
【図６】
2006058594.tif 000008
【図７】
2006058594.tif 000009
【図８】
2006058594.tif 000010
【図９】
2006058594.tif 000011
【図１０】
2006058594.tif 000012
【図１１】
2006058594.tif 000013
【図１２】
2006058594.tif 000014
【図１３】
2006058594.tif 000015
【図１４】
2006058594.tif 000016